(57)【要約】  ＡＶ機器（１０）は、圧電フィルム（２０）、エキサイタフィルム（３０）、表示パネル（４０）、および固定部材（５０）を備える。圧電フィルム（２０）は、エキサイタフィルム（３０）の一方主面の略全面に亘る形状からなり、当該エキサイタフィルム（３０）の一方主面に装着されている。エキサイタフィルム（３０）における圧電フィルム（２０）の伸縮方向に直交する両端辺には、固定部材（５０）が装着されている。固定部材（５０）は、表示パネル（４０）の互いに対向する両端辺に装着されている。これにより、表示パネル（４０）の両端辺は、エキサイタフィルム（３０）における圧電フィルム（２０）の伸縮方向に直交する両端辺に固定される。この際、表示パネル（４０）は、エキサイタフィルム（３０）の存在する側に対して反対の側に湾曲して突出する形状でエキサイタフィルム（３０）へ固定されている。
2015046288.tif 000002
【特許請求の範囲】
【請求項１】
駆動信号が印加される電極が形成された、電圧が加わることで面方向に変形するフィルムと、
前記フィルムの主面に対して直交する方向へ湾曲されている状態で、前記フィルムへ固定された平板状の表示パネルと、
を備えたＡＶ機器。
【請求項２】
前記フィルムを挟んで前記表示パネルと反対側に配置され、前記フィルムの主面に対して直交する方向へ湾曲されている状態で、前記フィルムへ固定された平板状の裏面振動板を、さらに備えた請求項１に記載のＡＶ機器。
【請求項３】
駆動信号が印加される電極が形成された、電圧が加わることで面方向に変形するフィルムと、
前記フィルムに固定されていない状態で平板面が湾曲した形状であり、前記フィルムの主面に対して前記平板面が平坦な形状になるように、前記フィルムへ固定されている表示パネルと、を備えたＡＶ機器。
【請求項４】
前記フィルムを挟んで前記表示パネルと反対側に配置され、前記フィルムに固定されていない状態で平板面が湾曲した形状であり、前記フィルムの前記主面に対して前記平板面が平坦な形状になるように、前記フィルムへ固定されている裏面振動板を、さらに備えた請求項３に記載のＡＶ機器。
【請求項５】
前記フィルムへ前記表示パネルを固定する固定部材を備え、
該固定部材は、前記表示パネルを把持する溝を備える、請求項３または請求項４に記載のＡＶ機器。
【請求項６】
駆動信号が印加される電極が形成された、電圧が加わることで面方向に変形するフィルムと、
前記フィルムが裏面に装着された表示パネルと、
前記表示パネルにおけるフィルムの伸長方向の両端に配置された固定部材と、
を備えたＡＶ機器。
【請求項７】
前記フィルムはポリフッ化ビニリデンを材料とする、請求項１乃至請求項６のいずれかに記載のＡＶ機器。
【請求項８】
前記フィルムはポリ乳酸を材料とする、請求項１乃至請求項６のいずれかに記載のＡＶ機器。
【請求項９】
前記フィルムは、圧電性樹脂を複数層積層してなる、請求項１乃至請求項８のいずれかに記載のＡＶ機器。
【発明の詳細な説明】
【技術分野】
【０００１】
本発明は、映像と音を出力するＡＶ機器、特に平面型のＡＶ機器に関するものである。
【背景技術】
【０００２】
近年、薄型のテレビジョン装置に搭載する等の理由により、液晶パネル等からなる薄型の映像表示装置とともに、薄型のスピーカに対する要求が高まっている。【０００３】
例えば、特許文献１には、ＰＶＤＦ自体を振動板とするスピーカが記載されている。しかしながら、特許文献１に記載のスピーカでは、使用に十分な音質特性を得られないという問題がある。【０００４】
この弱点を改善するため、例えば、特許文献２，３では、音質特性に優れる電磁式スピーカを薄型に配置する構造が記載されている。
【先行技術文献】
【特許文献】
【０００５】
【特許文献１】特開平１０−２２４８９３号公報
【特許文献２】特開昭６２−７３８９８号公報
【特許文献３】特開２００５−１１７２１７号公報
【発明の概要】
【発明が解決しようとする課題】
【０００６】
しかしながら、特許文献２，３に示す構成では、電磁式スピーカを用いているので、圧電性フィルムを用いたスピーカよりも薄くすることは容易ではない。【０００７】
また、さらに、ＡＶ機器はスピーカと表示器とを備えなければならないので、ＡＶ機器としての厚みは、さらに厚くなってしまい、ＡＶ機器としての薄型化が容易ではない。【０００８】
本発明の目的は、薄型でありながら音質特性に優れるＡＶ機器を提供することにある。
【課題を解決するための手段】
【０００９】
この発明のＡＶ機器は、フィルムと、表示パネルとを備える。フィルムは、駆動信号が印加される電極が形成され、電圧が加わることで面方向に変形する。表示パネルは、フィルムの主面に対して直交する方向へ湾曲されている状態で、フィルムへ固定された平板状の部材である。【００１０】
この構成では、表示パネルは、駆動信号の印加によるフィルムの伸縮に応じて、主面に直交する方向に振動する。すなわち、表示パネルを音再生用の振動板として利用することができる。【００１１】
また、正面視した形状が表示パネルの形状と同じであるので、ＡＶ機器として不必要に大きな面積にならない。また、奥行きは、平板状の表示パネルとフィルムとの厚み、および、表示パネルとフィルムに挟まれる中空領域の奥行きのみである。そして、当該中空領域の奥行きは、フィルムの厚さと表示パネルの振動ストロークのみを加味すればよい。したがって、奥行きも短くなる、すなわちＡＶ機器としての厚みが薄くなる。【００１２】
また、平板状のエキサイタフィルムをフィルムに装着してもよい。フィルムがエキサイタフィルムに装着されていることで、フィルムの伸縮によってエキサイタフィルムを大きく変位させることができる。したがって、エキサイタフィルムに装着された表示パネルの振動ストロークを大きくすることが可能になる。これにより、低音出力特性が改善し、音質特性が向上する。【００１３】
また、この発明のＡＶ機器は、さらに次の裏面振動板を備えていてもよい。裏面振動板は、フィルムを挟んで表示パネルと反対側に配置される。裏面振動板は、フィルムの主面に対して直交する方向へ湾曲されている状態で、フィルムへ固定されている。【００１４】
この構成では、裏面振動板も振動して放音することができる。この際、表示パネルの音と裏面振動板の音は同相であるので、互いに相殺されることなく増幅され、さらに低音出力特性を改善することができる。【００１５】
また、この発明のＡＶ機器は、次の構成であってもよい。ＡＶ機器は、フィルム、表示パネルを備える。フィルムは、駆動信号が印加される電極が形成され、電圧が加わることで面方向に変形する。表示パネルは、フィルムに固定されていない状態で平板面が湾曲した形状であり、フィルムの主面に対して平板面が平坦な形状になるように、フィルムへ固定されている。【００１６】
この構成では、表示パネルに曲げ応力が加わった状態であっても、表示パネルの正面すなわち表示画面が平坦になる。したがって、表示画面の見栄えがよい。【００１７】
また、この構成においても、上述のエキサイタフィルムをフィルムに装着してもよい。これにより、ＡＶ機器は、低音出力特性が改善し、音質特性が向上する。【００１８】
また、この発明のＡＶ機器は、さらに次の裏面振動板を備えていてもよい。裏面振動板は、フィルムを挟んで表示パネルと反対側に配置されている。裏面振動板は、フィルムに固定されていない状態で平板面が湾曲した形状であり、フィルムの主面に対して平板面が平坦な形状になるように、フィルムへ固定されている。【００１９】
この構成では、裏面振動板も振動して放音することができる。この際、表示パネルの音と裏面振動板の音は同相であるので、互いに相殺されることなく増幅され、さらに低音出力特性を改善することができる。【００２０】
また、この発明のＡＶ機器は、フィルムへ表示パネルを固定する固定部材を備え、該固定部材が表示パネルを把持する溝を備える構成であってもよい。【００２１】
この構成では、表示パネルの端辺を溝に挿入するだけで、表示パネルをフィルムに装着することができる。特に、上述の予め表示パネルに応力が加えられており、表示パネルを平坦に装着する場合に、表示パネルをフィルムに容易に装着することができる。【００２２】
また、この発明のＡＶ機器は、次の構成であってもよい。ＡＶ機器は、フィルム、表示パネル、および固定部材を備える。フィルムは、駆動信号が印加される電極が形成され、電圧が加わると面方向に変形する。表示パネルは、フィルムが裏面に装着されている。固定部材は、表示パネルにおけるフィルムの伸長方向の両端に配置されている。【００２３】
この構成では、フィルムの伸長によって表示パネルが変位する。この際、表示パネルにおけるフィルムの伸長方向の両端が固定部材によって壁等に固定されていることで、表示パネルは、主面（表示画面）に直交する方向に振動して、放音することができる。この構成により、さらに簡素で薄型のＡＶ機器を実現できる。【００２４】
また、この発明のＡＶ機器では、フィルムはポリフッ化ビニリデンを材料としてもよく、ポリ乳酸を材料としてもよい。【００２５】
これらの構成では、有機圧電フィルムとして圧電係数の高い部類の材料を用いるので、印加する放音用駆動信号に対して効率良く振動板を振動させることができる。【００２６】
また、この発明のＡＶ機器では、フィルムは、圧電性樹脂を複数層積層してなることが好ましい。【００２７】
この構成では、より効率的に表示パネルを振動させることができる。
【発明の効果】
【００２８】
薄型で音質特性に優れるＡＶ機器を実現することができる。
【図面の簡単な説明】
【００２９】
【図１】本発明の第１の実施形態に係るＡＶ機器の外観斜視図である。
【図２】本発明の第１の実施形態に係るＡＶ機器の正面図および側面図である。
【図３】本発明の第１の実施形態に係るＡＶ機器の部分拡大側面図である。
【図４】本発明の第１の実施形態に係るＡＶ機器の動作説明図である。
【図５】本発明の第２の実施形態に係るＡＶ機器の外観斜視図である。
【図６】本発明の第２の実施形態に係るＡＶ機器の構造説明図である。
【図７】本発明の第３の実施形態に係るＡＶ機器の構造説明図である。
【図８】本発明の第４の実施形態に係るＡＶ機器の正面図および側面図である。
【発明を実施するための形態】
【００３０】
本発明の第１の実施形態に係るＡＶ機器について、図を参照して説明する。図１は本発明の第１の実施形態に係るＡＶ機器の外観斜視図である。図２（Ａ）は本発明の第１の実施形態に係るＡＶ機器の正面図であり、図２（Ｂ）は側面図である。図３は本発明の第１の実施形態に係るＡＶ機器の部分拡大側面図である。図４は本発明の第１の実施形態に係るＡＶ機器の動作説明図であり、図４（Ａ）が放音用駆動信号により圧電フィルムが縮んだタイミングでの状態を示す。図４（Ｂ）が放音用駆動信号が印加されていないもしくは放音用駆動信号の振幅が０の状態を示す。図４（Ｃ）が放音用駆動信号により圧電フィルムが伸びたタイミングでの状態を示す。
【００３１】
ＡＶ機器１０は、圧電フィルム２０、エキサイタフィルム３０、表示パネル４０、および固定部材５０を備える。
【００３２】
圧電フィルム２０は、平面視して矩形状のベースフィルム２００と、該ベースフィルム２００の対向する両主面に形成された電極２０１を備える。ベースフィルム２００は、圧電性を有するフィルムであり、好ましくはポリ乳酸（以下、ＰＬＬＡと称する。）もしくはポリフッ化ビニリデン（以下、ＰＶＤＦと称する。）で構成されている。なお、ベースフィルムは、ＰＬＬＡ、ＰＶＤＦに限らず、圧電性樹脂フィルム、好ましくは圧電定数が高い部類の圧電性樹脂フィルムを用いる。ベースフィルム２００にＰＬＬＡを用いる場合、ベースフィルム２００は、延伸方向に対して各外周辺が略４５°となるように裁断することで、矩形状を形成するとよい。
【００３３】
電極２０１は、ベースフィルム２００の両主面の略全面に形成されている。電極２０１は、電極２０１はアルミニウムＡｌ、銅Ｃｕ等を用いることが望ましく、カーボンやポリチオフェンを成分とする導電性有機材料を用いてもよい。また、電極２０１には、銀ナノワイヤ電極を用いることができ、さらに、アルミ蒸着電極を用いることもできる。電極２０１には、図示しない引き出し用の配線導体が接続されており、外部からの放音用駆動信号は当該配線導体を介して各電極２０１へ印加される。
【００３４】
エキサイタフィルム３０は、平面視して矩形状からなる。エキサイタフィルム３０は、ポリエチレンテレフタレート（ＰＥＴ）で構成されている。なお、エキサイタフィルム３０は、ポリエチレンナノフタレート（ＰＥＮ）、ポリエチレン（ＰＥ）、ポリプロピレン（ＰＰ）、ポリ塩化ビニル（ＰＶＣ）等の他の材料を用いてもよく、機能的には絶縁性材料であり、表示パネル４０の形状を十分に維持できる強度を有するものであればよい。
【００３５】
例えば、圧電フィルム２０のベースフィルム２００にＰＬＬＡを用いて、エキサイタフィルム３０にＰＥＴを用いる場合、当該エキサイタフィルム３０の厚みを０．０５ｍｍ〜０．２ｍｍ程度にすることが好ましい。
【００３６】
エキサイタフィルム３０の一方主面には、圧電フィルム２０が略全面に亘る形状で配設されている。圧電フィルム２０は、接着層２１０を用いてエキサイタフィルム３０に固定されている。この際、圧電フィルム２０は、延伸方向がエキサイタフィルム３０の短手方向の４５°の角度を成すように固定される。
【００３７】
表示パネル４０は、平面視して矩形状からなる。表示パネル４０は、表示画面４００を有する。表示パネル４０は、長手方向の長さがエキサイタフィルム３０と略同じであり、短手方向の長さがエキサイタフィルム３０よりも長い形状からなる。表示パネル４０は、例えば、有機ＥＬやフレキシブルＥインク等のフレキシブル表示器によって実現される。なお、表示パネル４０、後述するエキサイタフィルム３０の変位によって振動可能な弾性を有する材料からなれば、他の表示デバイスであってもよい。
【００３８】
表示パネル４０は、短手方向の両端がエキサイタフィルム３０の短手方向の両端にそれぞれ固定部材５０を用いて固定されている。この際、表示パネル４０は、表示画面４００がＡＶ装置１０の正面側となるように固定される。固定部材５０は、長尺な棒状からなり、金属等の高強度な材質からなる。なお、表示パネル４０は、エキサイタフィルム３０における圧電フィルム２０が装着された側に固定される。ただし、表示パネル４０を、エキサイタフィルム３０における圧電フィルム２０が装着された側と反対側に固定してもよい。
【００３９】
この構成により、表示パネル４０とエキサイタフィルム３０との間には、中空領域１００が形成される。そして、この表示パネル４０のある側がＡＶ機器１０の正面側となり、エキサイタフィルム３０がある側がＡＶ機器１０の背面側となる。
【００４０】
ここで、図１、図２（Ｂ）に示すように、表示パネル４０は、エキサイタフィルム３０の存在する側（表示パネル４０の後側）に対して反対の側（表示パネル４０の前側）に湾曲して突出する形状となるように、エキサイタフィルム３０へ固定されている。なお、図１、図２、図３、図４は表示パネル４０の湾曲状態を誇張して記載しており、実際には、振動板４０の主面とエキサイタフィルム３０の主面は、より平行に近い関係となる。
【００４１】
なお、この湾曲による突出量は大きくない方が好ましい。これは湾曲による突出量が大きい、すなわち撓み量が大きすぎると、後述するエキサイタフィルム３０の伸縮が表示パネル４０の前後方向（エキサイタフィルム３０の主面および表示パネル４０の主面の中央に直交する方向）への振動に変換されなくなるからである。
【００４２】
このように表示パネル４０に曲げ応力が加わった状態でエキサイタフィルム３０へ固定すると、図２（Ｂ）の太矢印Ｓ９０１に示すように、エキサイタフィルム３０には、当該エキサイタフィルム３０の主面に平行で、当該エキサイタフィルム３０における表示パネル４０が固定される両端辺に対して直交する方向（エキサイタフィルム３０の平板面における短手方向）に沿って引っ張り張力が係った状態となる。
【００４３】
放音用駆動信号が印加されていない状態で上述の構成からなるＡＶ機器１０に対して放音用駆動信号を印加することで、表示パネル４０は図４に示すように振動し、ＡＶ機器１０の正面方向へ放音される。
【００４４】
放音用駆動信号により圧電フィルム２０に第一方向の電界を印加すると、表示パネル４０およびエキサイタフィルム３０の固定端辺に直交する方向に沿って圧電フィルム２００が収縮する。すなわち、圧電フィルム２０は、放音用駆動信号が与えられると、面方向に変形する。この収縮により、図４（Ａ）の太実線Ｓ９１１に示すように、エキサイタフィルム３０も面内の固定端辺に直交する方向に沿って収縮する。したがって、エキサイタフィルム３０の両端の固定部材５０が固定端辺に直交する方向に沿って面内中央方向へ引きつけられる。これにより、図４（Ａ）の太実線Ｆ９１１に示すように、前方へより突出するように湾曲する。
【００４５】
一方、放音用駆動信号により圧電フィルム２０に第一方向とは逆の第二方向の電界を印加すると、振動板４０およびエキサイタフィルム３０の固定端辺に直交する方向に沿って圧電フィルム２０が伸張する。この伸長により、図４（Ｃ）の太実線Ｓ９１２に示すように、エキサイタフィルム３０も面内の固定端辺に直交する方向に沿って伸張する。したがって、エキサイタフィルム３０の両端のフレーム部材５０が固定端辺に直交する方向に沿って面内中央から外方へ向かって離間する。これにより、図４（Ｃ）の太実線Ｆ９１２に示すように、前方への突出量が低下した湾曲状態となる。
【００４６】
このように、本実施形態の構成を用いれば、放音用駆動信号に振幅に応じて、図４（Ｂ）の状態を基準に図４（Ａ）の状態や図４（Ｃ）の状態に遷移して、表示パネル４０が前後方向（表示パネル４０の面中央に直交する方向）に沿って振動する。これにより、放音用駆動信号に応じた音が正面に放音される。すなわち、表示パネル４０を振動板として機能させることができ、表示パネル４０自体から正面に放音することができる。
【００４７】
そして、以上のように、表示パネル４０に非動作状態で定常的な曲げ応力を与えておき、当該曲げ応力と同じ方向へのエキサイタフィルム４０の伸縮（圧電フィルム２０の伸縮を伝搬した伸縮）による応力を加えることで、表示パネル４０を効果的に振動させることができる。さらに、ＡＶ機器１０を平面視した略全面に圧電フィルム２０を配設することで、低音出力特性が改善し、且つ、決定された面積において最も効率良く表示パネル４０を振動させることができる。また、従来のような電磁方式のエキサイタを必要としないので、ＡＶ機器１０を小型（正面視して小面積）に形成することができる。また、側面視して、圧電フィルム２０を貼り付けたエキサイタフィルム３０と表示パネル４０とを、表示パネル４０の振動ストロークに若干のマージンを有する程度に離間して配置すればよいので、従来のような奥行き方向の長さを殆ど必要とせず、ＡＶ機器１０を薄く形成することができる。
【００４８】
なお、表示パネル４０のエキサイタフィルム３０側にも音が放音されるが、上述の構造により、表示パネル４０のエキサイタフィルム３０側は半閉空間のエンクロージャとして機能する。これにより、エキサイタフィルム３０側に発した音が正面側に漏洩することを抑制でき、音質特性を向上させることができる。さらに、中空領域１００に表示パネル４０の振動およびエキサイタフィルム３０の伸縮を阻害しない程度の柔らかさからなるシリコンゲル等の吸音部材を配設してもよい。このような吸音部材を用いることで、上述のエキサイタフィルム３０側へ放音された音の正面側への回り込みを抑制できるとともに、エキサイタフィルム３０から生じる共振音波が表示パネル４０に伝搬されることも抑制でき、音の歪率も改善することができる。これにより、さらに優れた音質特性のＡＶ機器１０を実現できる。
【００４９】
また、圧電フィルム２０のベースフィルム２００の材料としてＰＶＤＦを用いた場合、ＡＶ機器１０は、ＰＶＤＦが耐水性を有するため、どのような湿度環境下においても放音特性を維持することができる。ベースフィルム２００の材料としてＰＬＬＡを用いた場合、ＡＶ機器１０は、ＰＬＬＡが高い透光性を有するため、電極２０１、固定部材６０、エキサイタフィルム３０といった他の構成を透明な材料から形成すれば、振動する内部構成を外部から視認可能とすることができる。
【００５０】
また、圧電フィルム２０は、上述の構成に限らず、電圧が加わることで面方向に変形するフィルムであれば何でもよい。電圧が加わることで面方向に変形するフィルムとしては、例えば、エレクトレットフィルム、コンポジットフィルム、または電気活性フィルム等を利用することができる。
【００５１】
電気活性フィルムとは、電気的駆動によって応力を発生させるフィルム、または電気的駆動によって変形して変位を発生させるフィルムである。具体的には、電気活性フィルムには、電歪フィルム、コンポジット材料（圧電セラミックスを樹脂モールドした材料）、電気駆動型エラストマー、または液晶エラストマー等がある。
【００５２】
また、電圧を加えることで面方向に変形するフィルムは、圧電セラミックスと、複数のエキサイタフィルムと、を用いることでも実現することができる。この場合、複数のエキサイタフィルムは、それぞれ一方の端部が圧電セラミックスに接続され、他方の端部が固定部材５０を介して表示パネル４０に接続される。
【００５３】
ところで、上述の説明では、エキサイタフィルム３０に１枚の圧電フィルム２０を装着する態様を示したが、２枚の圧電フィルムを装着してもよい。例えば、エキサイタフィルム３０の長手方向に沿って２枚の圧電フィルムを装着してもよい。この場合、２枚の圧電フィルムに印加する放音用駆動信号は同じであっても、異なっていてもよい。２枚の圧電フィルムに印加する放音用駆動信号の種類を異ならせる場合には、ステレオ音声のＬチャンネル信号とＲチャンネル信号とを同期させて印加すればよい。これにより、ＡＶ機器１０でステレオ放送のプログラムをそのまま再生することができる。
【００５４】
ただし、本実施形態において、エキサイタフィルム３０及び固定部材６０を備えることは必須ではない。ＡＶ機器１０は、圧電フィルム２０が固定部材５０に直接的に固定される態様であっても構わない。
【００５５】
次に、第２の実施形態に係るＡＶ機器について、図を参照して説明する。図５は本発明の第２の実施形態に係るＡＶ機器の外観斜視図である。図６は本発明の第２の実施形態に係るＡＶ機器の構造説明図であり、図６（Ａ）が表示パネルを固定する前の状態を示し、図６（Ｂ）が表示パネルを固定した後の状態を示す。
【００５６】
本実施形態のＡＶ機器１０Ａは、第１の実施形態に示したＡＶ機器１０に対して、表示パネル４０Ａの主面とエキサイタフィルム３０の主面とが平行になるように、表示パネル４０Ａをエキサイタフィルム３０に固定した点で異なり、他の構成は同じである。
【００５７】
表示パネル４０Ａは、材質は第１の実施形態に示した表示パネル４０と同じであるが、図６（Ａ）に示すように、予め湾曲した形状からなる。これは、例えば平坦な主面を有する振動板を熱処理等により屈曲させることで実現できる。
【００５８】
このような形状からなる表示パネル４０Ａに対して、湾曲の突出する方向をエキサイタフィルム３０側として、図６（Ａ）の太矢印Ｓｔ９０２の方向に外力を加えながら、図６（Ｂ）に示すように主面が平坦面となるように固定部材５０Ａを介してエキサイタフィルム３０に固定する。
【００５９】
固定部材５０Ａは、溝５１Ａを備えている。溝５１Ａは、一方向に伸長する構造である。固定部材５０Ａは、溝５１Ａの伸長方向がエキサイタフィルム３０の主面に平行になるように、その側面がエキサイタフィルム３０に装着されている。表示パネル４０Ａは、溝５１Ａに挿入されることで、固定部材５０Ａに把持される。これにより、表示パネル４０Ａは、エキサイタフィルム３０に対して固定部材５０Ａを介して固定される。  このような状態で表示パネル４０Ａをエキサイタフィルム３０に固定することにより、図６（Ｂ）の太矢印Ｓ９０２に示すように、エキサイタフィルム３０が、主面に平行で表示パネル４０Ａを固定する両端辺に対して直交する方向の中心から固定端方向に向かって引っ張られる。これにより、上述の第１の実施形態と同様な応力を蓄えた状態となる。
【００６０】
このような構成であっても、上述の第１の実施形態と同様の作用効果を得ることができる。さらに、本実施形態の構成を用いれば、表示パネル４０Ａの主面を平坦に固定することができるので、ＡＶ機器１０Ａを正面側や側面および斜め前方向から見た際の見栄えがよい。
【００６１】
また、このようにＡＶ機器１０Ａの正面を平坦面にできることで、表示パネル４０Ａの正面側にフラットパネル状のタッチパネル素子を貼り合わせて、ＡＶ機器にタッチパネル機能を持たせることもできる。さらには、表示パネル４０Ａをフラットパネル状のタッチパネルで実現することも可能である。
【００６２】
さらに本実施形態では、溝５１Ａを用いて表示パネル４０Ａをエキサイタフィルム３０に固定することで、表示パネル４０Ａをエキサイタフィルム３０に装着する処理を容易に行うことができる。特に、表示パネルに応力が加わっている状態では、この応力に反する力をかけながらエキサイタフィルム３０に装着しなければならない。しかしながら、溝５１Ａに表示パネルを挿入して固定する構造であることで、容易に表示パネルを固定部材に固定することができ、表示パネルをエキサイタフィルムに容易に固定することができる。
なお、本実施形態においてもエキサイタフィルム３０を備えることは必須ではない。
【００６３】
次に、本発明の第３の実施形態に係るＡＶ機器について、図を参照して説明する。図７は本発明の第３の実施形態に係るＡＶ機器の動作説明図である。図７（Ａ）が放音用駆動信号が印加されていないもしくは放音用駆動信号の振幅が０の状態を示す。図７（Ｂ）が放音用駆動信号により圧電フィルムが縮んだタイミングでの状態を示す。図７（Ｃ）が放音用駆動信号により圧電フィルムが伸びたタイミングでの状態を示す。
【００６４】
本実施形態のＡＶ機器１０Ｂは、第１の実施形態に示したＡＶ機器１０に対して、裏面振動板４０Ｒ、および、裏面振動板４０Ｒを固定する固定部材５０Ｂ２を追加したものであり、他の構成は第１の実施形態に示したＡＶ機器１０と同じである。したがって、第１の実施形態に示したＡＶ機器１０と異なる箇所のみを具体的に説明する。なお、図７における固定部材５０Ｂ１は、第１の実施形態に示した固定部材５０と同じ構造である。
【００６５】
ＡＶ機器１０Ｂは、裏面振動板４０Ｒを備える。裏面振動板４０Ｒは、アクリル等の材料からなり、固定部材５０Ｂ２によってエキサイタフィルム３０に固定されている。なお、裏面振動板４０Ｒ、後述するエキサイタフィルム３０の変位によって振動可能な弾性を有する材料からなれば、他の表示デバイスであってもよい。
【００６６】
裏面振動板４０Ｒは、エキサイタフィルム３０を対称の基準面として、表示パネル４０と対称になるように配置されている。すなわち、裏面振動板４０Ｒは、表示パネル４０と同様に、エキサイタフィルム３０の存在する側に対して反対の側に湾曲して突出する形状となるように、エキサイタフィルム３０へ固定されている。
【００６７】
放音用駆動信号により圧電フィルム２０に第一方向の電界を印加すると、図７（Ｂ）の太実線Ｓ９１１に示すように、エキサイタフィルム３０も面内の固定端辺に直交する方向に沿って収縮する。これにより、図７（Ｂ）の太実線Ｆ９１１に示すように、表示パネル４０は前方へより突出するように湾曲し、裏面振動板４０Ｒは後方へより突出するように湾曲する。
【００６８】
一方、放音用駆動信号により圧電フィルム２０に第一方向とは逆の第二方向の電界を印加すると、図７（Ｃ）の太実線Ｓ９１２に示すように、エキサイタフィルム３０も面内の固定端辺に直交する方向に沿って伸張する。これにより、図７（Ｃ）の太実線Ｆ９１２に示すように、表示パネル４０は前方への突出量が低下した湾曲状態となり、裏面振動板４０Ｒは後方への突出量が低下した湾曲状態となる。
【００６９】
このように、本実施形態の構成を用いることで、ＡＶ機器１０Ｂの正面側（前方）のみでなく、裏面側（後方）にも、音質特性の優れる放音を実現することができる。さらに、表示パネル４０から放音される音の低周波数成分と裏面振動板４０Ｒから放音される音の低周波数成分は、同位相になる。したがって、表示パネル４０から放音される音と裏面振動板４０Ｒから放音される音は、相殺されない。これにより、低音の音量が低下することを抑制でき、より優れた音質特性を得ることができる。
【００７０】
なお、本実施形態の構成は、第２の実施形態の構造に適用することもできる。さらに、本実施形態では、単に裏面振動板を用いた態様を示したが、裏面振動板に替えて、裏面表示パネルを配置してもよい。この場合、正面側、裏面側の両面に映像および音を提供することができる。また、本実施形態においても、エキサイタフィルム３０を備えることは必須ではない。すなわち、表示パネル４０及び裏面振動板４０Ｒは、固定部材５０Ｂ１，５０Ｂ２を介して、直接的に圧電フィルム２０に固定される態様であっても構わない。
【００７１】
次に、第４の実施形態に係るＡＶ機器について、図を参照して説明する。図８は、本発明の第４の実施形態に係るＡＶ機器の正面図および側面図である。上述の各実施形態では、エキサイタフィルムに圧電フィルムを装着する態様を示した。しかしながら、エキサイタフィルムを省略することも可能である。
【００７２】
図８に示すように、本実施形態のＡＶ機器１０Ｃは、圧電フィルム２０、表示パネル４０Ａを備える。圧電フィルム２０および表示パネル４０Ａは、上述の実施形態のものと同じでる。
【００７３】
圧電フィルム２０は、表示パネル４０Ａの裏面に装着されている。この際、圧電フィルム２０は、表示パネル４０Ａの主面の略全面に亘る形状であることが好ましい。表示パネル４０Ａにおける圧電フィルム２０の伸縮方向に直交する両端辺には、固定部材６０が装着されている。固定部材６０は、上述の実施形態に示した固定部材５０，５０Ａ，５０Ｂ１，５０Ｂ２と同じ材料からなる。
【００７４】
このような構成からなるＡＶ機器１０Ｃは、固定部材６０によって、壁等の固定対象部材（図示せず）に固定される。この際、表示パネル４０Ａに応力が加わった状態で固定されていることが好ましい。
【００７５】
このような構成では、圧電フィルム２０の伸縮により、表示パネル４０Ａが伸縮しようとするが、固定部材６０によって表示パネル４０Ａの対向する両端辺が固定されているので、表示パネル４０Ａは、当該表示パネル４０Ａの前後方向（表示パネル４０Ａの主面の中央に直交する方向）へ振動する。これにより、ＡＶ機器１０Ｃは、表示パネル４０Ａを振動板として放音することができる。
【００７６】
このような構成とすることで、エキサイタフィルムを用いないので、ＡＶ機器をさらに薄型に形成することができる。
【００７７】
なお、上述の各実施形態では、単層のベースフィルム２００で圧電フィルム２０を形成する態様を示したが、電極を介在させながらベースフィルム２００を複数層積層する構造を用いてもよい。このように複数層の圧電フィルムを用いることにより、放音用駆動信号に対する表示パネルの振動量を増加させることができる。すなわち、より効率的に表示パネルを振動させることができる。
【符号の説明】
【００７８】
１０，１０Ａ，１０Ｂ，１０Ｃ：ＡＶ機器
２０：圧電フィルム
３０：エキサイタフィルム
４０，４０Ａ：表示パネル
４０Ｒ：裏面振動板
５０，５０Ａ，５０Ｂ１，５０Ｂ２，６０：固定部材
１００，１００Ａ，１００Ｒ：中空領域
２００：ベースフィルム
２０１：電極
２１０：接着層
【図１】
2015046288.tif 000003
【図２】
2015046288.tif 000004
【図３】
2015046288.tif 000005
【図４】
2015046288.tif 000006
【図５】
2015046288.tif 000007
【図６】
2015046288.tif 000008
【図７】
2015046288.tif 000009
【図８】
2015046288.tif 000010
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
駆動信号が印加される電極が形成された、電圧が加わることで面方向に変形するフィルムと、
前記フィルムの主面に対して直交する方向へ湾曲されている状態で、固定部材のみを介して前記フィルムへ固定された平板状の表示パネルと、
を備えたＡＶ機器。
【請求項２】
前記フィルムを挟んで前記表示パネルと反対側に配置され、前記フィルムの主面に対して直交する方向へ湾曲されている状態で、前記フィルムへ固定された平板状の裏面振動板を、さらに備え、
前記表示パネル及び前記裏面振動板は、それぞれ、第１方向の電界が印加されると、前記フィルムと反対側へ突出するように湾曲し、
前記表示パネル及び前記裏面振動板は、それぞれ、前記第１方向と逆方向の第２方向の電界が印加されると、前記第１方向の電界が印加される時と比べて、前記フィルムと反対側への突出量が小さくなる、
た請求項１に記載のＡＶ機器。
【請求項３】
駆動信号が印加される電極が形成された、電圧が加わることで面方向に変形するフィルムと、
前記フィルムに固定されていない状態で平板面が湾曲した形状であり、前記フィルムの主面に対して前記平板面が平坦な形状になるように、固定部材のみを介して前記フィルムへ固定されている表示パネルと、を備えたＡＶ機器。
【請求項４】
前記フィルムを挟んで前記表示パネルと反対側に配置され、前記フィルムに固定されていない状態で平板面が湾曲した形状であり、前記フィルムの前記主面に対して前記平板面が平坦な形状になるように、前記フィルムへ固定されている裏面振動板を、さらに備えた請求項３に記載のＡＶ機器。
【請求項５】
前記固定部材は、前記表示パネルを把持する溝を備える、請求項３または請求項４に記載のＡＶ機器。
【請求項６】
前記フィルムはポリフッ化ビニリデンを材料とする、請求項１乃至請求項５のいずれかに記載のＡＶ機器。
【請求項７】
前記フィルムはポリ乳酸を材料とする、請求項１乃至請求項５のいずれかに記載のＡＶ機器。
【請求項８】
前記フィルムは、圧電性樹脂を複数層積層してなる、請求項１乃至請求項７のいずれかに記載のＡＶ機器。
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
駆動信号が印加される電極が形成された、電圧が加わることで面方向に変形するフィルムと、
前記フィルムの主面に対して直交する方向へ湾曲されている状態で、２枚の前記フィルムへ固定された平板状の表示パネルと、
を備え、
前記２枚のフィルムに印加する放音用駆動信号を異ならせた、
ＡＶ機器。
【請求項２】
前記フィルムを挟んで前記表示パネルと反対側に配置され、前記フィルムの主面に対して直交する方向へ湾曲されている状態で、前記フィルムへ固定された平板状の裏面振動板を、さらに備え、
裏面振動板はフィルムを対称の基準面として前記表示パネルと対称になるように配置され、
前記表示パネル及び前記裏面振動板は、それぞれ、第１方向の電界が印加されると、前記フィルムと反対側へ突出するように湾曲し、
前記表示パネル及び前記裏面振動板は、それぞれ、前記第１方向と逆方向の第２方向の電界が印加されると、前記第１方向の電界が印加される時と比べて、前記フィルムと反対側への突出量が小さくなるとともに前記フィルムが伸縮することで前記表示パネルと前記裏面振動板は同時に駆動する、
請求項１に記載のＡＶ機器。
【請求項３】
駆動信号が印加される電極が形成された、電圧が加わることで面方向に変形するフィルムと、
前記フィルムに固定されていない状態で平板面が湾曲した形状であり、前記フィルムの主面に対して前記平板面が平坦な形状になるように、２枚の前記フィルムへ固定されている表示パネルと、を備え、
前記２枚のフィルムに印加する放音用駆動信号を異ならせた、
ＡＶ機器。
【請求項４】
前記フィルムを挟んで前記表示パネルと反対側に配置され、前記フィルムに固定されていない状態で平板面が湾曲した形状であり、前記フィルムの前記主面に対して前記平板面が平坦な形状になるように、前記フィルムへ固定されている裏面振動板を、さらに備えた請求項３に記載のＡＶ機器。
【請求項５】
前記固定部材は、前記表示パネルを把持する溝を備える、請求項３または請求項４に記載のＡＶ機器。
【請求項６】
前記フィルムはポリフッ化ビニリデンを材料とする、請求項１乃至請求項５のいずれかに記載のＡＶ機器。
【請求項７】
前記フィルムはポリ乳酸を材料とする、請求項１乃至請求項５のいずれかに記載のＡＶ機器。
【請求項８】
前記フィルムは、圧電性樹脂を複数層積層してなる、請求項１乃至請求項７のいずれかに記載のＡＶ機器。
【請求項９】
駆動信号が印加される電極が形成された、電圧が加わることで面方向に変形するフィルムと、
固定対象物と、
前記固定対象物に固定されていない状態で平板面が湾曲した形状であり、前記固定対象物の主面に対して前記平板面が平坦な形状になるように、２枚の前記フィルムへ固定されている表示パネルと、を備え、
前記２枚の圧電フィルムに印加する放音用駆動信号を異ならせた、
ＡＶ機器。
【国際調査報告】
2015046288.tif 000011
2015046288.tif 000012